(57)【要約】【課題】都市内でも採用しやすい、騒音、振動、飛散物の発生の少ない、コンクリート構造物の解体工法を提供する。【解決手段】コンクリート構造物を解体するために、まず「面部材」としてのスラブや壁面を解体して、「線部材」としての梁、柱とほぼ絶縁してこれらを孤立化させる。その後に、孤立化した梁、柱だけを小口径、小薬量の高性能爆薬で破壊する。【選択図】図１
2010116682.tif 000002
【特許請求の範囲】
【請求項１】
面部材としてのスラブや、線部材としての柱を含むコンクリート構造物の解体において、
面部材をブレーカーや油圧圧砕機で解体して線部材とほぼ絶縁して線部材を孤立化させ、
その後に孤立化した線部材としての梁や柱の基部を、小口径、小薬量の高性能爆薬によって解体する、
コンクリート構造物の解体工法。
【請求項２】
小口径、小薬量の高性能爆薬で線部材を解体するために、
面部材とほぼ絶縁して孤立化した線部材の基部に、削孔し、
かつ線部材の落下、転倒を阻止するためにワイヤなどで保持するとともに、
少なくとも爆薬装填部分の周囲を防護シートで覆って、
削孔した孔内に小口径、小薬量の高性能爆薬を装填し、
発破によってコンクリートを破壊し、
その後に、露出した鉄筋を切断する。
請求項１記載のコンクリート構造物の解体工法。
【発明の詳細な説明】
【技術分野】
【０００１】
本発明は、コンクリート構造物の解体工法に関するものである。
【背景技術】
【０００２】
ビルなどのスラブや壁面と、梁や柱で構成したコンクリート構造物の解体のために各種の工法が実施されている。
もっとも単純な工法は、人力による「手はつり」である。
これは作業員がブレーカーや油圧圧砕機を操作して、コンクリートを破壊して行く工法であるが、重量の大きなブレーカーや油圧圧砕機を使用し、その強力な振動を肉体で受けるような過酷な労働であるため、はつり工と呼ばれる職人は減少している。
大型のブレーカーや油圧圧砕機をバックホウの先に取り付けて行う解体作業は、長期間にわたって周囲に騒音、振動、塵埃の飛散、などの影響を及ぼす問題があり、都心では使用しにくい工法となっている。
騒音や振動を抑えた工法としては、低騒音、低振動の油圧圧砕機が開発されているが、その構造は対象物を鳥のくちばしのように挟んで加圧するものであるから、破壊能力は限定され、特に大断面の基礎などの解体は困難である。
破壊力が大きい工法は、発破工法であるが、従来の火薬を使用した方法では、発破時の飛散物、振動、騒音などの発生の可能性が高く、都会の中では許可を受けがたい。
【０００３】
そこで、特許文献１に示すような特殊火薬による発破と「手はつり」を併用した工法が開発されている。
【特許文献１】特開２００７−１６４３２
【発明の開示】
【発明が解決しようとする課題】
【０００４】
前記した特許文献１記載の解体工法にあっては、次のような問題点がある。
＜１＞この工法は、各階の解体は、特殊火薬による発破と手はつりを併用して、建物の各階層ごとに床板、梁、壁、柱の順に切断し、各部材単位で搬出するものである。
＜２＞このように、すべての工程において、発破と手はつりを併用して部材の切断方法を行う方法であるために、上記のような長期間にわたって周囲に騒音、振動、塵埃の飛散、などの影響を及ぼす問題の発生は避けがたい。
【課題を解決するための手段】
【０００５】
上記のような従来の装置の課題を解決した本発明のコンクリート構造物の解体工法は、面部材としてのスラブや、線部材としての柱を含むコンクリート構造物の解体において、面部材をブレーカーや油圧圧砕機で解体して線部材とほぼ絶縁して線部材を孤立化させ、その後に孤立化した線部材としての梁や柱の基部を、小口径、小薬量の高性能爆薬によって解体するコンクリート構造物の解体工法を特徴としたものである。
【発明の効果】
【０００６】
本発明は上記のように、まず「面部材」としてのスラブや壁面を解体して、「線部材」としての梁、柱とほぼ絶縁してこれらを孤立化させ、その後に、孤立化した梁、柱だけを発破で破壊する工程を採用した。
そのため、次のような効果を得ることができる。
＜１＞  本発明のコンクリート構造物の破壊工法は、まず破壊の容易な、スラブや壁の「面部材」は大型ブレーカーや油圧圧砕機で破壊する。破壊の困難な柱や梁の「線部材」を残しておき、それは小口径、小薬量の高性能爆薬で破壊する。
＜２＞  このように、ブレーカーや油圧圧砕機による破壊と、小口径、小薬量の高性能爆薬による破壊を時間差を持たせて順番に組み合わせて行うから、大型のコンクリート構造物でも短期間で解体を完了できる。
＜３＞  柱や梁の付け根のような限定された場所だけを小口径、小薬量の高性能爆薬で破壊するから、破壊時の破壊片の飛散、騒音、振動の発生を最低限に抑止できる。
＜４＞  破壊対象が、面状に広く広がっていない柱や梁であるから、使用する爆薬は小口径、小薬量の高性能爆薬で足りる。そのために装填用の削孔は小口径であり、工期を短縮することができる。
＜５＞  爆薬で破壊する対象は、線状の部材である。したがって、面状の部材を防護する場合と異なり、その周囲をシートで巻いて完全に防護することが容易であり、飛散の危険性が減少して都市部においても採用しやすい工法である。
＜６＞  面部材であるスラブや壁は厚さが薄いからブレーカーや油圧圧砕機での解体が容易で、破壊の時間が短く、騒音、振動、飛散物の発生を最小限に抑えることができる。
【発明を実施するための最良の形態】
【０００７】
以下図面を参照しながら本発明のコンクリート構造物の解体工法の実施例を説明する。
【実施例】
【０００８】
＜１＞全体の構成。
本発明のコンクリート構造物の解体工法は、二種類の工程を平行して実施するのではなく、時間差を設けて順番に行う工法である。
すなわち構造物の「面部材」を「線部材」と絶縁して、（１）線部材を孤立させる工程と、（２）その「線部材」の基部を小口径、小薬量の高性能爆薬によって破壊する工程である。
【０００９】
＜２＞面と線の絶縁。
本発明の解体工法ではまず、面部材１としてのスラブや壁を大型ブレーカーや油圧圧砕機で解体する。
スラブや壁面はその厚さは大きくないから、ブレーカーや油圧圧砕機で容易に分割、解体できる。
同時に、スラブや壁面と、線部材２である梁や柱との絶縁もまた容易である。
破壊や絶縁が容易であるということは、騒音、振動、飛散物の発生が少なく、作業時間も短い、ということになる。
こうして「面部材１」としてのスラブや壁面の解体によって、「線部材２」としての梁や柱との縁を切れば、梁、柱を孤立させることができる。
なお、ここでいう絶縁とは、鉄筋が連続していて完全に縁が切れいなくとも、コンクリート部材が実質的に絶縁している状態を含む意味である。
【００１０】
＜３＞線部材の保持。
面部材１から実質的に絶縁して孤立させた線部材２である梁、柱を、ワイヤで吊り、その落下や転倒を阻止しておく。
この作業では、クレーン車などで吊ったワイヤを介して行う。
【００１１】
＜４＞線部材への削孔。
面部材１から絶縁した線部材２の基部に装薬孔３を削孔する。
ここで基部とは、線部材２としての柱ならその上下端、梁なら柱と接続している両端を意味する。
この装薬孔３に小口径、小薬量の高性能爆薬４を装薬する（図２）。
この高性能爆薬４は、薬量が少量であるから、装薬孔３の直径は小さく、削孔深さも浅い。
したがって簡単なドリルで短時間で削孔を行うことができる。
この孔に小口径、小薬量の高性能爆薬４を装填する。
【００１２】
＜５＞使用する爆薬。
本発明の解体は、小口径、小薬量の高性能爆薬を使用したミニブラスティングによって行う。
ここでいう、「小口径、小薬量の高性能爆薬」とは、通常の爆薬よりも直径が小さく、薬量も少ないものをいう。
すなわち通常のダイナマイトは１本１００グラムであり、薬包径は２５ｍｍ、３０ｍｍであるのに対して、「小口径、小薬量の高性能爆薬」とは１０グラム〜５０グラム、直径が２０ｍｍ以下のものである。
通常のダイナマイトなどでは、薬量、薬包径が小さくなると威力が低下したり、あるいは爆発が困難となるが、本発明で使用する「小口径、小薬量の高性能爆薬」は小口径、小薬量でありながら高い威力を備えている、という特徴がある。
具体的には、たとえば商品名を「ミニブラスター」と称するミニブラスティング用火工品を使用するが、それは次のような特性を備えている。
比重  １．０〜１．２ｇ／ｃｍ3
爆速  ６０００ｍ／秒以上
摩擦感度  ６（ＪＩＳ等級）
落槌感度  ３（ＪＩＳ等級）
薬包径  φ１５〜１７ｍｍ
薬包長  １５０ｍｍ
正味重量  ３０ｇ
【００１３】
＜６＞防護。
小口径、小薬量の高性能爆薬４を装填した部分の周囲、あるいは破壊予定の線部材２の全体を。防護シート５で覆う。（図３）
前記したように、小口径、小薬量の高性能爆薬４で破壊するのは線状の部材である。
したがって、面部材１の場合と異なり、その周囲を防護シート５で巻いて防護することが容易である。
防護シート５としては、市販の各種のシートを使用できる。
その後、小口径、小薬量の高性能爆薬４を起爆して発破により、コンクリートの線部材２である梁、柱などを破壊する。
その際に鉄筋まで切断することは期待せず、引張力に弱いコンクリートのみを破壊の対象とするから、小薬量の爆薬４で破壊が可能である。
線部材２は防護シート５で巻いてあり、かつ使用するのが小口径、小薬量の高性能爆薬４であるから、爆破の際の飛散物は少量であり、遠方へ飛散しがたい。
【００１４】
＜７＞鉄筋の切断。
発破によって、引張力の小さいコンクリートの柱や梁などの線部材２の端部は容易に破壊する。
しかし引張力の大きい鉄筋６は破壊せず、破壊したコンクリートの間から外部へ露出する。（図４）
この鉄筋６は熱やカッターで切断する。
鉄筋６を切断することによって、線部材２は完全に絶縁されて孤立するから、これを吊り上げて外部へ運搬して回収する。（図５）
以上の作業の繰り返し、すなわちブレーカーや油圧圧砕機による面部材１の解体、面部材１と線部材２との絶縁、絶縁による線部材２の孤立化、孤立させた線部材２の基端の小口径、小薬量の高性能爆薬４による破壊、線部材２の搬出といった作業を繰り返すことによって、コンクリート構造物を解体してゆく。
以上は線部材２の例として梁の解体工程を説明した。
しかし面部材１としての壁と一体となっている線部材２としての柱を処理する場合でも同様の手順によって行うことができる。
【図面の簡単な説明】
【００１５】
【図１】コンクリート構造物の一例の説明図。
【図２】面部材を解体して線部材を孤立化させた状態の説明図。
【図３】線部材の破壊箇所を防護した状態の説明図。
【図４】線部材の端部のコンクリートが破壊して鉄筋が露出した状態の説明図。
【図５】鉄筋を切断して線部材を吊り上げた状態の説明図。
【符号の説明】
【００１６】
１：面部材
２：線部材
３：装薬孔
４：小口径、小薬量の高性能爆薬
５：防護シート
６：鉄筋
【図１】
2010116682.tif 000003
【図２】
2010116682.tif 000004
【図３】
2010116682.tif 000005
【図４】
2010116682.tif 000006
【図５】
2010116682.tif 000007